(57)【要約】      （修正有）【課題】夏季に高い清涼効果があり、着心地良く、ファッション性に優れ、取り扱いやすいという条件すべてを満たす衣服を提供する。【解決手段】ポリフェニレンサルファイドモノフィラメント２糸を使用したハリ・コシのある編織物１を縫製副資材として用い、身体と表地との間隔を空けて、衣服内換気を促進し、また表地から身体への熱伝達を低下させ、さらに首筋から両肩にかけて衣服重量が分散してかかるような衣服構造にすることで、高い清涼効果があり、着心地良く身体の動きに合わせて衣服内換気を促進できる衣服。３は、肩パット形状のスポンジ素材である。【選択図】図１
0003114389.tif 000002
【実用新案登録請求の範囲】
【請求項１】
経・緯方向の一方または両方に50〜800デニールのポリフェニレンサルファイドモノフィラメント糸１〜10本で構成された糸を、糸密度が2〜35本／インチに配置したハリ・コシのある編織物を縫製副資材として用いた衣服。
【請求項２】
請求項１に記載の編織物を縫製副資材として用い、身体と表地との間隔を空けて衣服内換気を促進させる衣服。
【請求項３】
請求項１に記載の編織物を縫製副資材として用い、身体と表地との間隔を空けて表地から身体への熱伝達を低下させる衣服。
【請求項４】
請求項１に記載の編織物を縫製副資材として用い、首筋から両肩にかけて衣服重量が分散してかかるようにした衣服。
【考案の詳細な説明】
【技術分野】
【０００１】
本考案は、衣服内換気を促進させるとともに表地から身体への熱伝達を低下させる構造とした衣服に関するものである。
【背景技術】
【０００２】
高温多湿の日本では、高齢者の増加、環境保護などの社会的背景もあり、身体を涼しく保つ機能の衣服開発が求められている。真夏に屋外を歩いたり、作業する人にとって、ビル冷房の熱風排気や道路の照り返しは厳しく、また体温調節機能の衰えた高齢者にとっても、こうした機能衣服が必要となっている。
【０００３】
しかし成熟化した消費ニーズに対応するためには、機能性とともにファッション性に優れた衣服でなければならない。
【０００４】
このような中で、涼しさを追求した衣服としては、次のようなものがある。
【０００５】
肩と胴に通気性の高いメッシュ地を表地として用いて、風通しを良くした衣
服構造で清涼効果をねらったものがあるが、肌が透けて見えるためテーラード（仕立て風）の衣料に適さず、またファッション衣料として用いる際にデザイン面の制約がある（特許文献１）。
【０００６】
汗ばむ状況で、べたつかない、ムレない、良い肌触りをねらったセルロース、ポリウレタン等の繊維を組み合わせ、構造を工夫した表地があるが、汗ばんだ状況で効果を発揮するが、発汗に至るまでは高い清涼効果が得られない（特許文献２）。
【０００７】
紫外線吸収剤を含有する複合繊維からなる細幅テープ状物を多段に重ねた構造の表地を用いた衣料があるが、多段に重ねることで表面形状が凹凸となるためテーラードの衣料に適さず、ファッション衣料として用いる際にもデザイン面の制約がある（特許文献３）。
【特許文献１】実用新案3058060号
【特許文献２】特開平9-324313号
【特許文献３】特開平5-148703号
【０００８】
このように、これまで高い清涼効果があり、着心地良く、ファッション性に優れ、取り扱いやすいといった条件すべてを満たす衣服は得られていない。
【考案の開示】
【考案が解決しようとする課題】
【０００９】
解決しようとする問題点は、衣服内換気を促進させる構造にして、夏季に高い清涼効果があり、着心地良く、ファッション性に優れ、取り扱いやすいという条件を満たすことである。
【課題を解決するための手段】
【００１０】
本考案はポリフェニレンサルファイド（以下ＰＰＳ）モノフィラメント糸を使用したハリ・コシがあり通気性の非常に高い編織物（以下特殊編織物）を縫製副資材として用いて、身体と表地との間隔を空けて、身体の動きに合わせて衣服内換気を促進できる衣服構造とすることを主要な特徴とする。
【考案の効果】
【００１１】
本考案の衣服は、衣服内換気を促進し、また表地から身体への熱伝達を低下させ、首筋から両肩にかけて衣服重量が分散してかかるような衣服構造にすることで、高い清涼効果があり、着心地良く、ファッション性に優れ、取り扱いやすいといった条件すべてを満たすものである。
【考案を実施するための最良の形態】
【００１２】
通気性の高い表地を用い、前身頃から後身頃まで一体となった特殊編織物で、市販の通気性の高いスポンジ状フィルター素材（スポンジの穴径2〜5ｍｍ、厚さ7ｍｍ、193g／ｃｍ2、以下スポンジ素材）から成る左右肩パットを挟んで縫合したものを胸部においては胸増芯として、背中部は肩のやや下まで用い、そのハリ・コシにより身体と表地との間隔を拡げるとともに、身体の動きに合わせて衣服形状が変形しやすいようにし、衣服内換気を促進させる。
【００１３】
また、左右増芯と特殊編織物とを繋ぐように縫合し、首筋から両肩の表地を身体から持ち上げるようにして間隔を空けるとともに、首筋から両肩にかけて衣服重量が分散してかかるようにする。
【００１４】
具体的には、図1に示すように、前身頃から後身頃まで一体となった特殊編織物（１）2枚で、スポンジ素材製の左右肩パット（３）を挟んで縫合することで左右胸増芯としても用い、そのハリ・コシにより身体と表地との間隔を拡げるとともに、身体の動きに合わせて衣服形状が変形しやすいようにして衣服内換気を促進させる。この特殊編織物にはＰＰＳモノフィラメント糸（２）を用いている。
【００１５】
また首周辺部にも特殊編織物（１）を用い、スポンジ素材製左右肩パット（３）を挟んで縫合した胸増芯とを繋ぐように縫合し、首筋から両肩の表地を身体から持ち上げるようにして間隔を空けるとともに、首筋から両肩にかけて衣服重量が分散してかかるようにする。
【００１６】
また図2に示すように、首周辺部に用いる特殊編織物の代わりに、特殊編織物（１）2枚で細い角柱状のスポンジ素材（４）を挟んで縫合したものを用いることもできる。縫製品の外観を良好に保つことが課題となるが、首周辺部の表地は身体からさらに持ち上がり、身体と表地との間隔が大きくなり、清涼効果は増加する。
【００１７】
上記衣服構造で通気性の良い表地と裏地を用いると、図3に示すように身体を動かしたり微風が吹いたりすることで、衣服内換気が促進される。また直射日光のあたる戸外においても、温度上昇した表地の熱が伝わりにくくなり、涼しさが実現でき、着心地も良好となる。
【実施例】
【００１８】
ＰＰＳ樹脂チップを原料として、試験用熱溶融紡糸機を用い、350デニールと483デニールのモノフィラメントを紡糸した。
【００１９】
ＰＰＳモノフィラメント糸はこれまで衣料用には用いられていないもので、粘り強い硬さと弾力性、耐薬品性を特徴とし、主に産業資材用としてブラシ素材、フィルター素材に用いられている。ＰＰＳモノフィラメント糸の物性は、性能の良さから高級衣服に用いられている馬のしっぽの毛と同様のハリ・コシ、粘り強い弾力性、しわになりにくい性質がある。
【００２０】
また馬のしっぽの毛は、１均一に細くすることや太くすることができない、２毛長が60〜80ｃｍと短く、端と端を繋いで糸として用いるのに手間がかかる、３熱可塑性がなく、これを用いて製造した芯地を衣服に用いるためには様々な型紙パターンを工夫して安定した曲面を形成するなど製造面で手間がかる、４高価である等の問題があった。それに対しＰＰＳモノフィラメント糸は、１均一に細くすることや太くすることができる、２フィラメント糸として容易に紡糸できる、３熱可塑性があり160℃以上で容易に熱セットできるため、曲面形成が容易にできる、４馬のしっぽの毛に比べ安価である等の優れた点がある。
【００２１】
このＰＰＳモノフィラメント糸を経糸に、ポリエステル紡績糸を緯糸にして、図4に示すとおりカラミ組織で製織した。
【００２２】
製織後は、ハリ・コシ、粘り強い弾力性、しわになりにくい性質を得るため、190℃、30秒間、押さえ圧0.35ｋｇ／ｃｍ２の条件で芯地接着プレス機を用いて熱セットして特殊なカラミ織物（以下特殊カラミ織物）を得た。
【００２３】
熱セット条件を定めるため、ＪＩＳ Ｌ 1059-1（モンサント法）を準用し、セット方法のみを変え、図4-１の規格の特殊カラミ織物を温度、時間を変えて熱セットし、それらのしわ回復率を測定して評価した。セット方法は、カラミ織物のハリ・コシが強いため、試料を強く引っ張って、試料を挟む金具に折り曲げてセットした。  
【００２４】
その結果、熱セットが未処理の場合は同デニールのポリエステルフィラメントを用いた織物と同程度のしわ回復率だが、図5に示すとおり処理時間30秒で処理温度を変えて熱セットすると、190℃で約80％と高いしわ回復率を示した（熱セット条件は芯地接着プレス機で押さえ圧0.4ｋｇ／cm2）。また図6に示すとおり処理温度190℃で処理時間を変えて熱セットすると、処理時間30秒で約80％のしわ回復率を示し、それ以上の処理時間では横ばいとなった。以上より、190℃、30秒間で高いしわ回復率を得られることを明らかとした。
【００２５】
この特殊カラミ織物を用いて、衣服内換気が促進できる衣服構造となるよう次のとおり試作衣服１、２を試作した。１試作衣服１は通気性の高い表地（130ｃｍ３／ｃｍ２・秒）、通気性の非常に高い裏地（通気度大のため測定不可）を用いた。試作衣服２は普通衣服と同一の表地、裏地を用いた。２肩部分には従来の肩パットを使用せず、特殊カラミ織物とスポンジ素材とを組み合わせて、身体から肩部分の生地を浮かせる構造とした。３特殊カラミ織物を肩から前後に用い（前方向は胸増芯のように用い）、そのハリ・コシにより背中部、胸部において表地と身体との間に間隔が空きやすいようにした。４特殊カラミ織物による表地表面形状の悪化を防止するとともに、衣服全体の通気性の低下を避けるため、必要最少限度の接着芯地を用いた。５特殊カラミ織物と表地との伸長挙動を合わせるため特殊カラミ織物をイセながら（少し多めに縫い込む）縫製し、縫い目付近の凹凸発生を防止した。６特殊カラミ織物のＰＰＳフィラメント糸の飛び出しを防止するため、端部にパイピングテープ使用、オーバーロック処理、接着芯地テープ両面処理、本縫いによる補強等で対応した。
【００２６】
また図7に示すようにスポンジ素材を角柱状（4）、丸パンチ状（5）、タンザク状（6）などに変形加工して特殊カラミ織物で縫合して用いると、より風通しが良くなり、軽くなる。
【００２７】
試作した衣服の性能を評価するため、人体形状の熱損失量計測装置により、環境試験室内で温度30℃、湿度25％ＲＨ、白熱灯照度5,600ルクス、風速0.8ｍ／秒の測定条件で、熱損失量（Ｗ／ｍ２）を測定した。ここに示した熱損失量（Ｗ／ｍ２）とは、人体形状の装置を温度調節ヒーターで36℃に設定して、これに衣服を着用させて、設定した36℃を維持するのに必要な単位面積当たりの消費電力量である。大きい数値となった衣服ほど涼しい。
【００２８】
その結果、図7の表に示すとおり、試作衣服1、2ともほとんど全ての測定部分で普通衣服より大きな熱損失量があった。
【００２９】
試作衣服1は、表地、裏地を通気性の高い織物を用い、特殊カラミ織物とスポンジ素材で衣服構造を工夫して試作したものである。試作衣服2は、表地、裏地とも普通衣服と同一の織物を用い、特殊カラミ織物とスポンジ素材で衣服構造を工夫して試作したものである。
【００３０】
各部位毎に比較した結果は普通衣服の熱損失量：13.8〜64.7Ｗ／ｍ２、試作衣服1：22.3〜83.8Ｗ／ｍ２、試作衣服2：15.6〜74.1Ｗ／ｍ２、となり涼しさの効果が確認できた。
【００３１】
また図9に示すとおり、各部位における衣服なしの場合の熱損失量を100％としたときの熱損失量率で比較すると、普通衣服の熱損失量率：18.4〜59.8％、試作衣服1の熱損失量率：49.2〜73.0％、試作衣服2の熱損失量率：20.8〜63.5％となり、涼しさの効果が確認できた。特に試作衣服1において高い効果を得た。
【産業上の利用可能性】
【００３２】
この考案は、ＰＰＳモノフィラメント糸を使用したハリ・コシのある編織物を縫製副資材として用いて、夏季に涼しい衣服をつくることに関するものである。高温多湿の日本では、体を涼しく保つ機能の衣服開発に対する業界の関心は非常に高い。夏季に高い清涼効果があり、着心地良く、ファッション性に優れ、取り扱いやすいという条件を満たす衣服として活用される可能性は高い。
【図面の簡単な説明】
【００３３】
【図１】考案を実施するための最良の形態を説明する斜視図。
【図２】考案を実施するための最良の形態を説明する斜視図。
【図３】考案を実施するための最良の形態を説明する図。
【図４】実施例を説明する図表。
【図５】実施例を説明するグラフ。
【図６】実施例を説明するグラフ。
【図７】実施例を説明する斜視図。
【図８】実施例を説明する表。
【図９】実施例を説明するグラフ。
【符号の説明】
【００３４】
１  特殊編織物
２  ＰＰＳモノフィラメント糸
３  肩パット形状のスポンジ素材
４  角柱状のスポンジ素材
５  丸パンチ状のスポンジ素材
６  タンザク状のスポンジ素材
【図１】
0003114389.tif 000003
【図２】
0003114389.tif 000004
【図３】
0003114389.tif 000005
【図４】
0003114389.tif 000006
【図５】
0003114389.tif 000007
【図６】
0003114389.tif 000008
【図７】
0003114389.tif 000009
【図８】
0003114389.tif 000010
【図９】
0003114389.tif 000011